(57)【要約】【課題】多種多様な河川の条件にあった質量の護岸ブロックを極めて効率的に提供でき、しかも、生態系にも配慮した護岸ブロックを提供すること。【解決手段】植物や魚類などの生物が生息可能に多孔状に構成したセルブロック３と、セルブロック３が収納される収納部２０を複数個設けた枠体２とを備え、セルブロック３と枠体２との総質量が所望した質量となるようにセルブロック３を収納部２０に収納可能に護岸ブロック１を構成する。【選択図】        図１
2005009122.tif 000002
【特許請求の範囲】
【請求項１】
セルブロックと、前記セルブロックが収納される収納部を複数個設けた枠体とを備えてなり、所望した総質量となるように複数個の前記セルブロックを前記収納部に収納可能に構成したことを特徴とする護岸ブロック。
【請求項２】
前記枠体は、合成樹脂部材であることを特徴とする請求項１記載の護岸ブロック。
【請求項３】
セルブロックと、前記セルブロックのコーナー部をガイドする固定具とを備えてなり、施工面に敷設されるシート上に前記固定具が止着されて前記セルブロックを収納する収納部が形成されると共に、所望した総質量となるように複数個の前記セルブロックを前記収納部に収納可能に構成したことを特徴とする護岸ブロック。
【請求項４】
前記セルブロックを、異なる質量または／および形状・材質の部材で複数種用意して、適宜選択可能に構成したことを特徴とする請求項１〜３のいずれか１項に記載の護岸ブロック。
【請求項５】
前記収納部の深さ寸法を前記セルブロックの厚さ寸法より大きくして、前記収納部に前記セルブロックが複数段積層可能に構成したことを特徴とする請求項１〜４のいずれか１項に記載の護岸ブロック。
【請求項６】
前記セルブロックは、水と接する構成面が水の流れを減勢する所要の形状に形成したことを特徴とする請求項１〜５のいずれかに１項に記載の護岸ブロック。
【請求項７】
前記セルブロックを、植物や魚類などの生物が生息可能に多孔状に構成したことを特徴とする請求項１〜６のいずれか１項に記載の護岸ブロック。
【請求項８】
前記セルブロックを、建設副産物を用いて構成したことを特徴とする請求項７記載の護岸ブロック。
【請求項９】
請求項１〜８のいずれかに記載の護岸ブロックを用いた護岸構造であって、川下側に配設される前記護岸ブロックよりも川上側に配設される前記護岸ブロックの方が前記総質量が大きくなるように構築したことを特徴とする護岸構造。
【発明の詳細な説明】
【０００１】
【発明の属する技術分野】
この発明は、護岸ブロックと、その護岸ブロックを用いた護岸構造に関する。
【０００２】
【従来の技術】
従来より、河川や海岸の法面を保護するために敷設される護岸ブロックがある。この護岸ブロックを用いて護岸を構築する場合、最も配慮しなければならないのが、護岸設置対象地区の最大流速に対する護岸ブロックの安定であり、ブロックの質量による処が大きい。
【０００３】
すなわち、この種の護岸ブロックは、ブロックの形状・重量等の仕様が異なるものをいくつかラインナップしておき、護岸ブロック単体や、その構築体そのものが、洪水等によって押し流されたり崩壊しないように、現状で想定しうる最大流速に打ち勝つ所要の質量のブロックを選定している。
このように護岸ブロックは、流速などを含めて場所毎に環境が異なる敷設現場に応じて、最も適したとされる護岸ブロックを採用して敷設されている。
【０００４】
ここで、先行技術として提案されている護岸ブロックを例示すると、ブロックの外形と相似又は類似の形状を有する大型の開口の表裏を貫通することにより枠状に形成された平面多角形状のブロック本体と、機能に応じて板状、中空状或いは塊状等の形態を具備し、開口へ嵌めることにより装飾、生物の保全、或いは敷設ブロック上へ進入した人のための設備等の諸機能をブロック本体に付与する目的で選択され、ブロック本体に組み合わされる複数種の中詰め部材とから構成された護岸ブロックがある（例えば、特許文献１参照）。
【０００５】
【特許文献１】
特開平０７−２５９０５０号公報  （第２頁、第１図）
【０００６】
【発明が解決しようとする課題】
しかしながら、上述した一般的な従来の護岸ブロックは、多種多様な河川に対応させるため、複数種の質量の異なる護岸ブロックを製造する必要があり、極めて不経済である。しかも、当然のことながら在庫管理も含めた品質管理に手間がかかるため、改善の余地があった。
【０００７】
もっとも、この護岸ブロックを質量の異なる複数種を用意したとしても、経済的等の理由からラインナップ数には限界がある。必要質量が１平方メートル当たりの１５０キログラムと算定しても、そのラインナップが１００キログラム毎だとすると、２００キログラムの護岸ブロックを使用するしかなく、その結果、施工費に跳ね返り極めて不経済である。
【０００８】
また、先行している従来の護岸ブロックは、上記した開口を、植生の改善或いは水性動植物の生活環境整備のために活用したり、別部材を開口に詰めて、階段或いは簡易なベンチとして利用したりと、多目的に応用可能な利便性に優れたものではあるが、その構築体そのものが、洪水等によって押し流されたり崩壊しないような配慮まではなされていない。
【０００９】
また、その一方で、上記したように、昨今の河川整備は、単に機能を追求したものにとどまらず、多自然型工法といわれる自然に近い河川の復元が要求されるようになっている。
【００１０】
そこで、本発明は、多種多様な河川の条件にあった質量の護岸ブロックを極めて効率的に提供することを目的とし、さらに他に目的とするところは、生態系にも配慮した護岸ブロックと、その護岸ブロックを用いた護岸構造を提供することを目的とする。
【００１１】
【課題を解決するための手段】
上記課題を解決するために本発明にかかる護岸ブロックとその護岸ブロックを用いた護岸構造は、下記の技術的手段を講じた。
すなわち、本発明にかかる護岸ブロックは、セルブロックと、前記セルブロックが収納される収納部を複数個設けた枠体とを備えてなり、所望した総質量となるように複数個の前記セルブロックを前記収納部に収納可能に構成したことにある。
【００１２】
上記技術的手段によれば、護岸設置対象地区の最大流速に対しても安定する総質量となるようにセルブロックを収納部に収納して、夫々環境の異なる護岸設置対象地区の護岸施工に対応する。
この枠体とセルブロックの形状は、それぞれが互いに収納可能に係合する形状であれば、いずれでも良いものである（請求項１）。
【００１３】
この前記の枠体の材質は、コンクリート、木材、鋼材、線材など、いずれの材質で構成しても良いものであるが、軽量でかつ高強度である強化プラスチックなどの合成樹脂部材が搬送や施工時の際の取り扱いが容易であることから、極めて好適である（請求項２）。
【００１４】
また、護岸ブロックの他の態様として、セルブロックと、前記セルブロックのコーナー部をガイドする固定具とを備えてなり、敷設されるシート上に前記固定具が止着されて前記セルブロックを収納する収納部が形成されると共に、所望した総質量となるように複数個の前記セルブロックを前記収納部に収納可能に構成してもよい。
【００１５】
上記技術的手段によれば、護岸設置対象地区の最大流速に対しても安定する総質量となるようにセルブロックを収納部に収納して、夫々環境の異なる護岸設置対象地区の護岸施工に対応する。
また、前記した枠体に替えてセルブロックのコーナー部をガイドする固定具にしたことにより、部材搬送の際の利便性が向上する（請求項３）。
【００１６】
また、請求項１〜３のいずれかにおいて、前記したセルブロックを、異なる質量または／および形状・材質の部材で複数種用意して適宜選択可能に構成することが、総質量や形状、材質の変更可能な幅を大きくして、夫々環境の異なる護岸設置対象地区の護岸施工に対応する（請求項４）。
【００１７】
また、請求項１〜４のいずれかにおいて、前記した収納部の深さ寸法を前記セルブロックの厚さ寸法より大きくして、前記収納部に前記セルブロックが複数段積層可能に構成したり（請求項５）、その逆に、前記した収納部の深さ寸法を前記セルブロックの厚さ寸法より小さくして、前記収納部に前記セルブロックが係止できるように構成しても良いものである。
【００１８】
また、請求項１〜５のいずれかにおいて、前記したセルブロックは、水と接する構成面が水の流れを減勢する所要の形状に形成したことで、護岸近くの水の流速を減速する（請求項６）。
【００１９】
また、請求項１〜６のいずれかにおいて、前記したセルブロックを、植物や魚類などの生物が生息可能に多孔状に構成することが、自然に近い河川の復元が可能となることから好適であり（請求項７）、さらに、その前記セルブロックを、コンクリート廃材や、現地発生土などの建設副産物を用いて、セメントや固定剤などでポーラス状に固化させることが極めて好適である（請求項８）。
【００２０】
また、本発明にかかる護岸ブロックを用いた護岸構造は、請求項１〜８のいずれか護岸ブロックを用い、川下側に配設される前記護岸ブロックよりも川上側に配設される前記護岸ブロックの方が前記総質量が大きくなるように構築したことを特徴とする（請求項９）。
【００２１】
【発明の実施の形態】
次に、本発明の実施の形態を図面に基づいて説明する。
図１〜図１１は、実施形態１を、図１２及び図１３は、実施形態２を夫々例示している。図中、符号１は、護岸ブロックを示す。
【００２２】
（実施形態１）
実施形態１にかかる護岸ブロック１は、図１及び図２に示すように、枠体２と、セルブロック３とを備えて構成される。
【００２３】
枠体２は、強化プラスチック等の合成樹脂部材からなり、矩形状の孔２３を設けた底部２２を有し板状部材２１で３＊３の正方行列状に枠組みして９つの収納部２０が形成されると共に、隣接する一組の側壁下部（図１において右端と下端）から底部２２を鍔状に延出させてなる。
【００２４】
そして、この延出させた底部２２内に、係合ピン２４が所定間隔をおいて上方に向かって突設されると共に、この係合ピン２４と係合関係となるように、その係合ピン２４と対向した枠体２内縁部に係合孔２５が設けられている。
【００２５】
この枠体２の材質は、上述した強化プラスチック等の合成樹脂部材の他に、コンクリート、木材、鋼材、線材など、いずれでも良いものであるが、軽量であるうえに必要な強度を確保できることから、上述した強化プラスチック等の合成樹脂部材が好適である。
【００２６】
また、本実施形態では収納部２０を９つにしているが、これに限定されたものではなく、４個、１６個等の正方行列状の他、長方形形状、あるいはハニカム状（後述するセルブロックもハニカム形状にする）等、任意である。
【００２７】
セルブロック３は、一構成面に底側向かって漸次縮径する角錐状の凹部３１が凹設され収納部２０に収納可能に略矩形状に形成された所要質量のポーラスコンクリートからなる。
この凹部３１は、水の流れを減勢するのに好適な形状であり、図１に示したように、その凹部３１が外面となるようにして、枠体２の四隅と中央に形成された収納部２０に収納されている。
【００２８】
なお、図１に例示したセルブロック３の総数は５個であるが、当然のことながら、この数に限定されたものではなく、最大流速に基づいて算定された質量分の数のセルブロック３が収納される。
【００２９】
たとえば、このセルブロック３単体の質量が２０キログラムであったとすると、１００キログラムに枠体２の質量をあわせた総質量が、護岸ブロック単体の質量となるが、図３に示したように、４個、６個、９個など、流速に打ち勝つ所要の質量となるようにセルブロック３の数を調整する。なお、必ずしもセルブロック３を対称配置しなくても良い。
【００３０】
また、このセルブロック３の材質は、ポーラスコンクリートの他に、普通コンクリートを始めとした保形性を有するものであれば特に限定されないが、コンクリートの廃材のリサイクル材を活用し、ワラと発生土（建設副産物）・セメント・中性剤を混合して多孔状に固化したものや、発生土（建設副産物）・植物繊維（ワラやヤシ等の植物繊維）を混合し、固化剤にて多孔状に硬化させたもの等が、建設副産物を有効利用しつつ、植物や魚類などの生物が生息可能となるので好適である。なお、上述したものの他に、例えば、土の塊、鋳鉄、自然石で構成しても良いものである。
【００３１】
さらに、セルブロック３は、上記したような同一の材質（同一質量）で構成されたもののみを、所望した位置の収納部２０に収納して質量調整する必要性はなく、異なる質量のセルブロック３を、適宜、所望した位置の収納部２０に収納させて偏重させた構成にしても良いものである。
【００３２】
さらに図４に示したように、セルブロック３ａの厚さを収納部２０の深さより小さくしてセルブロック３ａを形成し、収納部２０にセルブロック３ａが複数段積層して質量調整したり、その逆に、図５に示したように、セルブロック３ｂの厚さを収納部２０の深さより大きくして、収納部２０からセルブロック３ｂが突出するように収納して質量調整しても良い。
【００３３】
また、図６に示したように、収納部２０の深さより厚さを小さくした略矩形状の（図４においても下段に配置）セルブロック３ｃとしても良いもので、枠体２とセルブロック３ｃとで形成された凹部３ｄによって、水の流れを減勢するように形設しても良いものである。
【００３４】
また、図７に示したように、収納部２０の深さより大きくし、枠体２上面より上方を面取り形成させたセルブロック３ｅにして、隣接したセルブロック３ｅ同士で凹部３ｆを形成して水の流れを減勢するように形設しても良い。
【００３５】
さらに、段階的に厚さが変化するように収納部２０にセルブロック３…を収納して水の流れを減勢するようにしても良いもので、例えば、図８に例示したように、コンクリートの廃材、ワラ、発生土等を用い、厚さを変えて固化させたセルブロック３ｇを数種用意し、上述したように、段階的に厚さが変化するように収納部２０に収納しても良い。
【００３６】
次に、以上のように構成された実施形態１にかかる護岸ブロック１を用いた護岸構造ｅを図９に基づいて説明する。
まず、施工面（法面）を整地し、法面の上下部、夫々にブロック留めａ、ｂを埋設し、株護岸の安定・漏水防止・吸い出し防止のために、ジオテキスタイルや遮水シート、フェルト等のシートｃを敷設する。
【００３７】
続いて、ブロック留めａ、ｂ間に亘ったシートｃ上に、一の枠体２に突設された係合ピン２４と隣接する他の枠体２の係合孔２５とを嵌合させながら枠体２を設置し、現状で想定しうる最大流速に打ち勝つ所要の質量となるように、セルブロック３を収納部２０に収納する。これを施工面全域に亘って行う。
【００３８】
また、護岸ブロック１の施工現場が、図１０に示したように、河川のコーナー部ｄである場合は、従来の護岸施工と同様に水の（流れによる）運動エネルギーの影響を受け受けやすいコーナー部ｄ外側を施工するが、この場合、図１１に示したように、コーナー部ｄ川下側に配設される護岸ブロック１よりもコーナー部ｄ川上側に配設される護岸ブロック１の方が総質量が大きくなるように、水の（流れによる）運動エネルギーの減勢具合を勘案して護岸構造ｅを構築することが、コストを低減しつつ効率の良い水の減勢ができるので好適である。
【００３９】
なお、上述したような河川のコーナー部ｄでなく直線的な部分においても、川下側に配設される護岸ブロック１よりも川上側に配設される護岸ブロック１の方が総質量が大きくなるように構築しても良いものである。
【００４０】
以上、実施形態１にかかる護岸ブロックを説明したが、本発明はそれに限定されるものではなく、たとえば、隣接する枠体同士を接続させるために係合ピン２４と係合孔２５とを設けているが、護岸ブロック１単体でも最大流速に打ち勝つ所要の質量を有しているために、必ずしもこの係合ピン２４と係合孔２５とを設ける必要はない。
【００４１】
（実施形態２）
次に実施形態２にかかる護岸ブロック１’を図１２及び図１３に基づいて説明する。
なお、実施形態２にかかる護岸ブロック１’は、実施形態１で例示したセルブロック３と、ジオテキスタイルや遮水シート、フェルト等のシートｃを用いて構成され、セルブロック３のコーナー部をガイドする固定具４のみ相違するため、実施形態１と共通する構成については同一符号を付けて説明は省略する。
【００４２】
固定具４は、図１２に示したように、強化プラスチック等の合成樹脂部材からなり、セルブロック３コーナー部下面を載承する底面を有すると共にセルブロック３のコーナー部壁面をガイドする平面視略＋状に形成されてなる。
この固定具４の材質は、上述した強化プラスチック等の合成樹脂部材の他に、コンクリート、木材、鋼材など、いずれでも良いものであるが、軽量であるうえに必要な強度を確保できることから、上述した強化プラスチック等の合成樹脂部材が好適である。
【００４３】
以上のように構成された実施形態２にかかる護岸ブロック１’は、図１３に示したように、施工面（法面）に予め敷設されたシートｃ上に、セルブロック３のコーナー部をガイドするように所定間隔をおいて固定具４を止着させて収納部を形成すると共に、単位面積当たり所望した質量となるようにその収納部にセルブロック３を収納する。これを施工面全域に亘って行う。
【００４４】
以上、本実施形態にかかる護岸ブロックとその護岸ブロックを用いた護岸構造を説明したが、上述した実施形態は、本発明の好適な実施形態の一例を示すものであり、本発明はそれに限定されるものではなく、その要旨を逸脱しない範囲内において、種々変形実施が可能である。
【００４５】
【発明の効果】
本発明によれば、護岸ブロックを、枠体又は固定具とセルブロックとを備えて構成して、設置単位面積当たりのブロック質量が可変可能にしたから、多種多様な河川の条件にあった質量の護岸ブロックを極めて効率的に提供できる。
【００４６】
また、セルブロックを、生物が生息可能に多孔状に構成したから、生態系に配慮した護岸ブロックが提供でき、さらに、建設副産物を用いて構成することで、環境にも配慮した護岸ブロックが提供できる。
【図面の簡単な説明】
【図１】実施形態１にかかる護岸ブロックの平面図である。
【図２】同、中央縦断面図である。
【図３】セルブロックの収納例を示す平面図である。
【図４】他の変形例を示す縦断面図その１である。
【図５】他の変形例を示す縦断面図その２である。
【図６】他の変形例を示す縦断面図その３である。
【図７】他の変形例を示す縦断面図その４である。
【図８】他の変形例を示す縦断面図その５である。
【図９】護岸ブロックを用いた護岸構造の施工例を示した説明図その１である。
【図１０】護岸ブロックを用いた護岸構造の施工現場例を示した説明図である。
【図１１】護岸ブロックを用いた護岸構造の施工例を示した説明図その２である。
【図１２】実施形態２にかかる護岸ブロックの斜視図である。
【図１３】同、平面図である。
【符号の説明】
１  護岸ブロック
２  枠体
２０  収納部
３  セルブロック
４  固定具
【図１】
2005009122.tif 000003
【図２】
2005009122.tif 000004
【図３】
2005009122.tif 000005
【図４】
2005009122.tif 000006
【図５】
2005009122.tif 000007
【図６】
2005009122.tif 000008
【図７】
2005009122.tif 000009
【図８】
2005009122.tif 000010
【図９】
2005009122.tif 000011
【図１０】
2005009122.tif 000012
【図１１】
2005009122.tif 000013
【図１２】
2005009122.tif 000014
【図１３】
2005009122.tif 000015